(57)【要約】  シェービングシステム中で使用するための支持されたブレード（１０）が開示される。支持されたブレードには、アルミニウムでコーティングされた表面（２２）を有する、ブレード支持体（２０）が含まれる。
2010502348.tif 000002
【特許請求の範囲】
【請求項１】
シェービングシステム中で使用するための支持されたブレードであって、前記支持されたブレードが：
鋭利にされた縁部及び平面部分を有するブレードと、
上面及び下面を有するブレード支持体であって、
前記ブレードの前記平面部分が、前記ブレード支持体の前記上面の表面に取り付けられている、ブレード支持体と、を含むものであり、
前記ブレード支持体が、その外側表面の一部の上にアルミニウムコーティングを有することを特徴とする、支持されたブレード。
【請求項２】
前記コーティングが、前記ブレード支持体の前記下面上にある、請求項１の支持されたブレード。
【請求項３】
前記コーティングが、前記ブレード支持体の前記下面全体を覆う、請求項１の支持されたブレード。
【請求項４】
前記ブレード支持体が、前記ブレードの前記平面部分が取り付けられる上側部分と、下側部分と、前記上側部分及び下側部分の間の曲がり部分とを含む、請求項１の支持されたブレード。
【請求項５】
前記アルミニウムコーティングが、５μｍ未満の厚さである、請求項１の支持されたブレード。
【請求項６】
前記ブレード支持体が鋼で形成されている、請求項１の支持されたブレード。
【請求項７】
シェービングシステムであって、
ブレードユニットハウジングと、
前記ハウジング内の支持されたブレードの組立品であって、
鋭利にされた縁部及び平面部分を有するブレードと、
上面及び下面を有するブレード支持体と、を含み、
前記ブレードの前記平面部分が、前記ブレード支持体の前記上面の表面に取り付けられており、及び前記ブレード支持体が、その外側表面の一部の上にアルミニウムコーティングを有する、支持されたブレードの組立品と、を含む、シェービングシステム。
【請求項８】
前記ブレードユニットハウジングが取り付けられるハンドルを更に含む、請求項７のシェービングシステム。
【請求項９】
複数個の支持されたブレードが、前記ハウジング内に取り付けられている、請求項７のシェービングシステム。
【請求項１０】
シェービングシステム中で使用するための支持されたブレードを製造する方法であって、
金属基材を準備すること、
前記金属基材の少なくとも一部をアルミニウムでコーティングすること、
前記金属基材を成形してブレード支持体を製造すること、及び
前記ブレード支持体にブレードを固定すること、を含む方法。
【発明の詳細な説明】
【技術分野】
【０００１】
本発明は、シェービングシステム中で使用するためのブレード支持体に関する。
【背景技術】
【０００２】
近年、様々な数のブレードを有するシェービングカミソリが、特許文献にて提案されて市販されており、例えば、ジレット社（The Gillette Company）により３枚刃のマッハスリー（Mach III）カミソリとして市販されているタイプのデザインを一般的に説明する、米国特許第５，７８７，５８６号に記載されているようなものがある。マッハスリー（Mach III）カミソリのブレードは、アルミニウムクリップを用いて、カートリッジハウジングに固定される。クリップは、ブレードの上及びハウジングの周囲まわりを延びる。ブレードは、ステンレス鋼のブレード支持体に溶接されており、このブレード支持体は、ブレードに横方向支持を提供し、及びクリップにより保持される端部を有して、ブレードをカートリッジ内の適所に確実に固定している。
【先行技術文献】
【特許文献】
【０００３】
【特許文献１】米国特許第５，７８７，５８６号
【発明の概要】
【発明が解決しようとする課題】
【０００４】
アルミニウムクリップは、クリップとブレード／支持体とにより形成される流電結合の中でアノード（優先的に腐食される部分）として機能する傾向があり、これにより鋼のブレード及びブレード支持体の腐食を抑制する。したがって、シェービングカミソリが腐食条件に曝露される場合、クリップが腐食して、シェービングブレード及びトリミングブレードは、腐食から保護されるカソードとして機能する。ブレードの刃先の腐食は、ユーザーに対して安全上の危険性を引き起こす場合もあり、一方、クリップの腐食は、美的な魅力を失わせて、更なる損傷が生じ得る前に、ユーザーがカートリッジを捨てるのを促す傾向があるため、クリップのこの犠牲機能は都合がよい。しかしながら、幾つかの条件下では、例えば、ブレードとクリップの間が不十分な接触である場合、ブレード及び／又は支持体の腐食が、それでも生じることがある。更に、幾つかのカートリッジ設計においては、アルミニウムクリップを取り除くことができるのが有利な可能性がある。
【課題を解決するための手段】
【０００５】
ブレード支持体（単数又は複数）上にアルミニウムコーティングを施すことによって、アルミニウムクリップを必要とせずに、腐食を防止できることを発明者は見出した。その上、アルミニウムクリップがアルミニウムコーティングされたブレード支持体（単数又は複数）と共に使用される場合で、例えば、腐食を防止するクリップのためにブレードとクリップの間が不十分な接触であるときには、腐食抑制が増進される可能性がある。
【０００６】
本発明は、一態様において、シェービングシステム中で使用するための支持されたブレードを特徴としており、支持されたブレードは：（ａ）鋭利にされた縁部及び平面部分を有するブレードと；（ｂ）上面及び下面を有するブレード支持体であって、ブレードの平面部分がブレード支持体の上面の表面に取り付けられている、ブレード支持体とを含む。ブレード支持体は、その外側表面の一部の上に、例えばブレード支持体の下面上に、アルミニウムコーティングを有する。幾つかの実施態様では、コーティングは、ブレード支持体の下面全体を覆う。
【０００７】
幾つかの実施態様は、次の特徴の１つ以上を包含する。ブレード支持体は、ブレードの平面部分が取り付けられる上側部分、下側部分、及び上側部分と下側部分の間の曲がり部分を含む。アルミニウムコーティングは、５μｍ未満の厚さである。ブレード支持体は、鋼で形成される。
【０００８】
本発明は、別の態様において、シェービングシステムを特徴としており、これは、（ａ）ブレードユニットハウジングと、（ｂ）ハウジング内の支持されたブレード組立品であって、（ｉ）鋭利にされた縁部及び平面部分を有するブレードと、（ｉｉ）上面及び下面を有するブレード支持体とを含んで、ブレードの平面部分が、ブレード支持体の上面の表面に取り付けられており、及びブレード支持体が、その外側表面の一部の上にアルミニウムコーティングを有する、支持されたブレード組立品と、を含むものである。
【０００９】
幾つかの実施態様は、次の特徴の１つ以上を包含する。シェービングシステムは更に、ブレードユニットハウジングがその上に取り付けられるハンドルを含む。複数個のブレード支持体が、ハウジング内に取り付けられる。支持されたブレードは、クリップ無しでハウジング内に保持される。ブレードユニットハウジングが、取り外し可能にハンドル上に取り付けられる。別の方法としては、ブレードユニットハウジングは、永久的にハンドル上に取り付けられる、すなわち、ハウジングが、ハンドルと一体に成型される。コーティングは、ブレード支持体の下面上にある。コーティングは、ブレード支持体の下面全体を覆う。
【００１０】
本発明は、更なる態様において、シェービングシステム中で使用するための支持されたブレードを製造する方法を特徴としており、これは、（ａ）金属基材を準備すること、（ｂ）金属基材の少なくとも一部をアルミニウムでコーティングすること、（ｃ）金属基材を成形してブレード支持体を製造すること、及び（ｄ）ブレード支持体にブレードを固定することを含む。
【００１１】
幾つかの実施態様は、次の特徴の１つ以上を包含する。成形工程の前に、コーティング工程が、例えば、金属のシート又はストリップの上にアルミニウムを堆積させることによって、実施される。コーティング工程は、ＰＶＤ、ＣＶＤ、及びめっきからなる群から選択されるプロセスを含む。コーティングは、５μｍ未満の厚さの層を金属基材の表面上に堆積させることを含む。コーティングは、金属基材の１つの表面だけにコーティングして、第二の表面を未コーティングで残すことを含む。固定工程は、溶接を含む。
【００１２】
本発明は又、ブレード支持体の表面の少なくとも一部の上にアルミニウムコーティングを施すことによって、シェービングシステム内の腐食を抑制する方法を特徴とする。
【００１３】
「シェービングシステム」という用語は、本明細書で使用されるとき、ブレードユニットがカミソリハンドル上に永久的に取り付けられる使い捨てカミソリと、ブレードユニットがカミソリハンドル上に取り外し可能に取り付けられる交換可能なカートリッジを含むシステムとの、両方を包含することを意図されている。
【００１４】
本発明の１つ以上の実施形態の詳細を、添付図面及び以下の記述で説明する。本発明の他の特徴及び利点は、記述及び図面、並びに請求項から明らかになる。
【図面の簡単な説明】
【００１５】
【図１】支持されたブレードの側面図。
【００１６】
様々な図面における類似参照記号は、類似要素を示す。
【発明を実施するための形態】
【００１７】
図１を参照して、支持されたブレード１０は、ブレード１２及びブレード支持体１４を含む。ブレード１２は、ブレード支持体の上側部分１６に溶接されている。ブレード支持体には又、約０．０５ｍｍ〜約０．１５ｍｍの曲率半径Ｒを有する曲がり部分１８と、下側部分２０とが含まれる。幾つかの実施態様では、ブレード支持体は、約０．１０ｍｍ〜約０．４０ｍｍの、例えば約０．１５ｍｍ〜約０．３０ｍｍの厚さを有してもよい。ブレードは、一般に鋼で、例えばステンレス鋼で形成される。
【００１８】
ブレード支持体は、いかなる所望の金属で形成されてもよいが、一般に鋼で、例えば炭素鋼又はステンレス鋼で形成される。ブレード支持体には、ブレード支持体の下面２２上にアルミニウムコーティング２１が含まれる。コーティングは、一般に、ブレード支持体の下面全体を覆う。ブレード支持体の上面２３が通常はコーティングされないのは、従来の溶接技法が用いられる場合、溶接２４の形成を妨げる傾向があるからである。なおその上に、コーティング２１からブレード支持体を通ってブレードまでの良好な導電性のために、及びそれゆえにコストを不必要に増加させる可能性があるので、上面２３のコーティングは、不必要である。
【００１９】
コーティングは、いかなる所望の厚さを有してもよい。しかしながら、薄いコーティングが、例えば５μｍ未満の、好ましくは約２〜３μｍのコーティングが、設計の許容度を維持し、生産するのに比較的安価である。コーティングは、シェービングシステムの意図される耐用期間を、例えば少なくとも１４回のシェービングを持ちこたえるのに十分に厚くすべきである。幾つかの実施態様では、コーティングは、少なくとも１μｍの厚さであるのが好ましい。
【００２０】
アルミニウムコーティングは、下に存在する鋼への適切な接着をもたらすいかなるプロセスにより付着されてもよい。ブレード支持体を所望の形状に曲げる前の平らなシート金属上にコーティングが形成される場合、接着は、金属がコーティングの層間剥離無しに（例えば、型押しによって）形成可能であるように、十分でなければならない。好適なコーティング方法には、物理蒸着（ＰＶＤ）、化学蒸着（ＣＶＤ）、及びめっきが挙げられる。コーティングは、好ましくは、実質的に純粋なアルミニウムで形成される。
【００２１】
支持されたブレードを含むカートリッジ又はカミソリは、ＡＳＴＭ  Ｇ４４−９９によって、耐食性について試験されてもよい。好ましい実施態様では、支持されたブレードは、ＡＳＴＭ  Ｇ４４−９９に指定された条件の下で、１２時間以上持ちこたえることができる。
【００２２】
本発明の幾つかの実施形態を説明してきた。しかし、本発明の趣旨及び範囲から逸脱することなく、様々な修正を行ってもよいことが理解されるであろう。
【００２３】
例えば、支持されたブレードは、アルミニウムクリップを含むカートリッジを含み、支持されたブレードを含むように設計された、いかなる所望のタイプのカミソリカートリッジ又はカミソリ中で使用されてもよい。
【００２４】
それゆえに、他の実施形態は次の請求項の範囲内である。
【００２５】
本発明の「発明を実施するための形態」で引用したすべての文献は、関連部分において、本明細書に参考として組み込まれるが、いずれの文献の引用も、それが本発明に対する先行技術であることを容認するものとして解釈されるべきではない。この文書における用語のいずれかの意味又は定義が、参照として組み入れられた文献におけるその用語のいずれかの意味又は定義と対立する場合は、この文書における用語に与えられた意味又は定義が適用されるものとする。
【００２６】
本明細書に開示される寸法及び値は、列挙された正確な数値に厳しく限定されるものとして理解されるべきでない。それよりむしろ、特に指定されない限り、こうした各寸法は、列挙された値とその値周辺の機能的に同等の範囲との両方を意味することを意図する。例えば、「４０ｍｍ」として開示された寸法は、「約４０ｍｍ」を意味することを意図する。
【００２７】
本発明の「発明を実施するための形態」で引用したすべての文献は、関連部分において、本明細書に参照として組み込まれるが、いずれの文献の引用も、それが本発明に対する先行技術であることを容認するものとして解釈されるべきではない。この文書における用語のいずれかの意味又は定義が、参考として組み入れられた文献におけるその用語のいずれかの意味又は定義と対立する場合は、この文書における用語に与えられた意味又は定義が適用されるものとする。
【００２８】
本発明の特定の実施形態が図示され説明されてきたが、本発明の趣旨及び範囲から逸脱することなく他の様々な変更及び修正をなし得ることが、当業者には明白であろう。したがって、本発明の範囲内にあるそのような全ての変更及び修正を添付の特許請求の範囲で扱うものとする。
【図１】
2010502348.tif 000003
【国際調査報告】
2010502348.tif 000004
2010502348.tif 000005